(57)【要約】【課題】検知スイッチを一つにして配線形態を簡略化すると共に、作動が確実なキャビネットにおける両開き扉の施開錠装置を提供すること。【解決手段】キャビネットの両側板にそれぞれ枢着した一対の開閉扉Ｄ１、Ｄ２によりキャビネットの前面開口を開閉し、一対の開閉扉Ｄ１、Ｄ２の一方の開閉扉Ｄ１にキャビネットの施解錠を行う電動アクチュエータを設けたキャビネットにおける両開き扉の施解錠装置であって、一方の開閉扉Ｄ１に前面開口が閉鎖状態であることを検知する単一の扉閉じスイッチ１８を設けることで、コストが抑えられ、かつ配線形態を簡略化することができる。【選択図】　図６
2004107912.tif 000002
【特許請求の範囲】
【請求項１】
キャビネット本体の両側板にそれぞれ枢着した一対の開閉扉体によりキャビネットの前面開口を開閉し、前記一対の開閉扉体の一方側の扉体裏面にキャビネットの施解錠を行う電動アクチュエータを設けたキャビネットにおける両開き扉の施解錠装置であって、前記一方側の扉体に前記前面開口が閉鎖状態であることを検知する検知スイッチを設けたことを特徴とするキャビネットにおける扉の施解錠装置。
【請求項２】
前記検知スイッチは他方側の扉体側に延びる当接片を備え、該当接片が前記両扉体の遊端部に当接挟持された場合に、前記前面開口が閉鎖状態であることを検知する請求項１に記載のキャビネットにおける両開き扉の施解錠装置。
【請求項３】
前記検知スイッチが前記前面開口部の閉鎖状態を検知しない限り、前記電動アクチュエータを作動しない請求項１または２に記載のキャビネットにおける両開き扉の施解錠装置。
【請求項４】
前記電動アクチュエータはリモートコントローラで駆動される請求項１ないし３の何れかに記載のキャビネットにおける両開き扉の施解錠装置。
【請求項５】
前記電動アクチュエータは前記キャビネットの外部から施解錠操作できる手動キーと連接して設けられている請求項１ないし４の何れかに記載のキャビネットにおける両開き扉の施解錠装置。
【発明の詳細な説明】
【０００１】
【発明の属する技術分野】
本発明は、キャビネット本体の両側板にそれぞれ枢着した一対の開閉扉体によりキャビネットの前面開口を開閉し、前記一対の開閉扉体の一方側の扉体裏面にキャビネットの施解錠を行う電動アクチュエータを設けたキャビネットにおける両開き扉の施解錠装置に関する。
【０００２】
【従来の技術】
キャビネット等における両開き扉の施解錠装置として、一方の扉にキャビネットの施解錠を行う電動アクチュエータを設け、他方の扉にその電動アクチュエータの作動に応じて係脱される鍵受部が設けられたものが知られている。そして両方の扉が完全に閉じ、キャビネットの前面開口が閉鎖されたときに電動アクチュエータが作動して鍵が掛かるようになっている。
【０００３】
両方の扉が完全に閉じたかどうかを検知するためのスイッチがそれぞれの扉に設けられており、各扉が閉じて両方のスイッチが作動したときに電動アクチュエータに信号を送り、電動アクチュエータが作動して鍵が掛かるようになっているが、片方の扉が開いていて一方のスイッチがオフであると、鍵が掛からないようになっていた。
【０００４】
【発明が解決しようとする課題】
しかし、上述の施解錠装置は、各扉毎に検知スイッチがあるため、コストがかかるばかりでなく、検知スイッチと電動アクチュエータとの接続のための配線が複雑となり、誤動作を起こす原因にもなっていた。
【０００５】
本発明は、このような状況に鑑みてなされたもので、検知スイッチを一つにして配線形態を簡略化すると共に、作動が確実なキャビネットにおける両開き扉の施解錠装置を提供することを目的にしている。
【０００６】
【課題を解決するための手段】
上記目的を達成するために、本発明のキャビネットにおける両開き扉の施解錠装置は、キャビネット本体の両側板にそれぞれ枢着した一対の開閉扉体によりキャビネットの前面開口を開閉し、前記一対の開閉扉体の一方側の扉体裏面にキャビネットの施解錠を行う電動アクチュエータを設けたキャビネットにおける両開き扉の施解錠装置であって、前記一方側の扉体に前記前面開口が閉鎖状態であることを検知する検知スイッチを設けたことを特徴としている。
この特徴によれば、検知スイッチが一つであるから、コストが抑えられ、かつ配線形態を簡略化することができる。
【０００７】
上記キャビネットにおける両開き扉の施解錠装置において、前記検知スイッチには他方側の扉体側に延びる当接片が延設され、該当接片が前記両扉体の遊端部に当接挟持された場合に、前記前面開口が閉鎖状態であることを検知するようにすることが好ましい。
このようにすると、両開き扉が閉じたときだけ当接片が作動するので、確実なスイッチ動作が得られる。
【０００８】
上記キャビネットにおける両開き扉の施解錠装置において、前記検知スイッチが前記前面開口部の閉鎖状態を検知しない限り、前記電動アクチュエータを作動しないことが好ましい。
このようにすると、故障の原因となる電動アクチュエータの無駄な作動を抑止して、電動アクチュエータの誤操作を防げる。
【０００９】
上記キャビネットにおける両開き扉の施解錠装置において、前記電動アクチュエータはリモートコントローラで駆動されることが好ましい。
このようにすると、キャビネットの前部開口部が閉状態にあるときだけ遠隔位置から施錠できる。
【００１０】
上記キャビネットにおける両開き扉の施解錠装置において、前記電動アクチュエータは前記キャビネットの外部から施解錠操作できる手動キーと連接して設けられていることが好ましい。
このようにすると、万一電動アクチュエータが駆動不能になっても、手動キーで施解錠操作ができる。
【００１１】
【発明の実施の形態】
以下、本発明の実施形態を図面に基づいて説明する。
【００１２】
図１〜図７は本発明の一実施形態を示すもので、図１は各種キャビネットに適用された本発明の施解錠装置をリモコンにより施解錠操作を行うシステム構成図、図２はキャビネット本体の前面開口を開閉する開閉扉の一部断面を示す背面図、図３は図２のＡ−Ａ断面図、図４の（ａ）は取手部近傍に施解錠装置を配置した開閉扉の部分正面図、（ｂ）は（ａ）のＢ―Ｂ断面図、図５は図１に示す扉閉じ検知スイッチ部の拡大図、図６は扉閉じの一態様を示す図５のＣ−Ｃ断面図であり、図７は扉閉じの別の態様を示す断面図である。
【００１３】
図１において、符号１〜３は収納形態の異なる各種キャビネットを示し、キャビネット１は引出し構造の下部キャビネット１ａとその上部に載置された引戸構造の上部キャビネット１ｂとから構成され、キャビネット２、３は上記と同じ構造の下部キャビネット２ａ、３ａと、その上部に載置された観音開き構造の上部キャビネット２ｂ、３ｂとから構成されている。
【００１４】
本実施形態では、観音開き構造として構成された開閉扉Ｄ１、Ｄ２を備えた上部キャビネット２ｂについて説明する。
【００１５】
開閉扉Ｄ１、Ｄ２は、図２に示すように上部キャビネット２ｂの両側板１５の前端縁上下にヒンジ１６ａ、１６ｂを介して両側が開放可能に枢着されており、一方の開閉扉Ｄ１の開放端側には上下に向く操作軸１２が一方向に弾力的に付勢された状態で回動可能に支持されている。
【００１６】
開閉扉Ｄ１の上下端面より挿通突出した操作軸１２の両端には、係止爪１２ａ、１２ｂがそれぞれ取着されており、これら係止爪１２ａ、１２ｂは、開閉扉Ｄ１を閉じた時に上部キャビネット２ｂの前面枠に形成された図示しない係止穴に弾力な付勢力によって係合可能となっている。
【００１７】
そして、開閉扉Ｄ１前面の開放端側上方部位には、操作軸１２を連携動作によって回動操作し、係止爪１２ａ、１２ｂを付勢力に抗して係止穴から開放操作するための取手Ｈが設けられている。
【００１８】
図４の（ａ）に示すように、取手Ｈ下方の操作軸１２にはロック片１４が取着されており、このロック片１４に対応するように、取手Ｈの直下に施解錠装置が取付けられている。
【００１９】
この施解錠装置は、図４（ｂ）に示されるようにマニュアル操作により施解錠を行う既存の手動キーとなるシリンダ錠８と、このシリンダ錠８の後方に連接され電気的な操作で施解錠を行う電動アクチュエータ９とから電子錠５として構成されている。
【００２０】
電動アクチュエータ９は、図４の（ａ）、（ｂ）に示すように、図示しない減速モータの回転を直線運動に変換する方向変換機構（例えば、偏心ピンと長穴またはラックとピニオン機構）を備えており、この方向変換機構（不図示）により、板状のスライド錠１０が前後方向に移動可能に支持されている。
【００２１】
また、スライド錠１０の後方側面には検出用のドッグ１３が突設しており、このドッグ１３を挟んで前後に例えばリミットスイッチから成る施錠スイッチＬ１及び解錠スイッチＬ２が配置されている。
【００２２】
更に、図２に示すように、一方の開閉扉Ｄ１の遊端側には、両開閉扉Ｄ１、Ｄ２を閉じた際に対向する相手側の開閉扉Ｄ２との当接により閉じ状態を検出する検知スイッチとしての扉閉じスイッチ１８が取付けられている。
【００２３】
更に詳しくは、扉閉じスイッチ１８は図５、図６に示すように、スイッチ本体に設けられた検出作動部１８ａと、この検出作動部１８ａに対向し自由端側が開放する方向に付勢され、一端がスイッチ本体に枢着された帯板状の当接片１８ｂとから構成されている。
【００２４】
一方の開閉扉Ｄ１の遊端部には内側に折り曲げられて断面コ字状の折曲げ縁部３５が形成されており、他方の開閉扉Ｄ２の遊端部には、両開閉扉Ｄ１、Ｄ２が閉鎖時に折曲げ縁部３５の内側面に当接重合する折曲片３６が一方の開閉扉Ｄ１の遊端部に向けて縦方向に突設している。
【００２５】
扉閉じスイッチ１８の当接片１８ｂは、その先端が折曲げ縁部３５の内側面まで延設されているため、先に閉じられている他方の開閉扉Ｄ２の折曲片３６に当接し、次に一方の開閉扉Ｄ１の折曲げ縁部３５が他方の開閉扉Ｄ２の折曲片３６と協同して当接片１８ｂを挟持することにより、扉閉じスイッチ１８の検出作動部１８ａが作動する。
【００２６】
一方、図１に示すように、連設配置されたキャビネット１〜３のキャビネット１の天板上には、予め認証された操作者の所有するリモートコントローラＲから送信される施解錠信号を受信する受信アンテナ６０が設置されると共に、上部キャビネット１ｂ及び下部キャビネット１ａの前面に隣接配設された電子錠５並びに確認ランプ６は、制御ユニット６２ａに配線接続されており、受信アンテナ６０はコントロールユニット６４に配線接続されている。
【００２７】
また、本発明の施解錠装置が取付けられる観音開き構造の開閉扉Ｄ１、Ｄ２を持つキャビネット２、３の上部キャビネット２ｂ、３ｂないし下部キャビネット２ａ、３ａの電子錠５並びに確認ランプ６は、同様に制御ユニット６２ｂ、６２ｃに接続されている。
【００２８】
そして、これら制御ユニット６２ｂ、６２ｃは、キャビネット１の制御ユニット６２ａ、コントロールユニット６４と共に直列に接続されており、コントロールユニット６４はパーソナルコンピュータ６５に接続されている。
【００２９】
更に、所定の弛みを形成したケーブル２０は、その上方、並びに上方から下方に折り返された部位が３個の支持具２４によりそれぞれ支持され、そのケーブル２０の端部は、図４の（ｂ）に示す電動アクチュエータ９に配線されている。また、扉閉じスイッチ１８からの検出信号線２０’は、下方の支持具２４を介して電動アクチュエータ９側に接続されている。
【００３０】
このように、一方の開閉扉Ｄ１の裏面側に配設された施解錠装置の電子錠５、施解錠スイッチＬ１、Ｌ２並びに扉閉じスイッチ１８、ケーブル２０等は裏面カバーＰにより覆われている。
【００３１】
次に、上記のように構成された施解錠装置の作用に付き説明する。
【００３２】
先ず、図１に示されるキャビネット２の上部キャビネット２ｂに設けられる観音開き構造の開閉扉に適用した施解錠装置に付き説明する。
【００３３】
この施解錠装置の電子錠５は、シリンダ錠８及びこのシリンダ錠８に連結された電動アクチュエータ９と共に、マニュアル並びに電気的に個別に施解錠操作が可能となっているが、非常時以外は電気的に施解錠操作が行われるようになっている。
【００３４】
施解錠装置を操作するに際し、開閉扉Ｄ１、Ｄ２が閉じた状態では、係止爪１２ａ、１２ｂが上部キャビネット２ｂの前面枠の図示しない係止穴に弾力な付勢力によって係合保持され、操作軸１２のロック片１４は図４の（ｂ）に示すように反時計回りに付勢された状態で保持されている。
【００３５】
図４の（ｂ）に示す状態は施錠状態を示しており、シリンダ錠８がマニュアルで施錠されてキー差込み部８ａから手動キー（不図示）が抜かれた状態を施解錠装置の初期位置として設定される。
【００３６】
この初期位置は、図４の（ａ）に示すようにスライド錠１０が前進端に位置してロック片１４と係合することで、ロック片１４の時計回りの動作が阻止されて取手Ｈによる解除操作が不能となる。同時に解錠スイッチＬ２は、スライド錠１０のドッグ１３により作動状態となり確認ランプ６が点灯状態となる。
【００３７】
そこで、電動アクチュエータ９の減速モータを電気的に回動操作するには、この初期位置を基準として施解錠操作が行われる。すなわち、電子錠５を解錠する際は、認証された操作者の所有するリモートコントローラＲから送信した解錠信号を受信アンテナ６０が受信することで、減速モータが作動してスライド錠１０が後退移動しロック片１４との係合が解除されて確認ランプ６が消灯状態となる。
【００３８】
次に、この解錠状態から電子錠５を施錠するには、先ず、開閉扉Ｄ１、Ｄ２が閉じられる。この際、一対の開閉扉Ｄ１、Ｄ２の内、他方の開閉扉Ｄ２が先に閉じられた状態で、一方の開閉扉Ｄ１が閉じられる。
【００３９】
これにより、図６に示すように、他方の開閉扉Ｄ２の後から一方の開閉扉Ｄ１を閉じることで、先に閉じられている他方の開閉扉Ｄ２の折曲片３６に、一方の開閉扉Ｄ１の扉閉じスイッチ１８の当接片１８ｂが当接し、次に一方の開閉扉Ｄ１の折曲げ縁部３５が他方の開閉扉Ｄ２の折曲片３６と協同して当接片１８ｂを挟持することにより、扉閉じスイッチ１８の検出作動部１８ａが作動する。
【００４０】
そこで、扉閉じスイッチ１８が作動して両開閉扉Ｄ１、Ｄ２の閉じ状態が確認されると、リモートコントローラＲから送信した施錠信号を受信アンテナ６０が受信すれば、電動アクチュエータ９が作動してスライド錠１０が前進移動し、同時に施錠スイッチＬ１は、スライド錠１０のドッグ１３により作動状態となり確認ランプ６が点灯状態となる。
【００４１】
しかし、図６の２点鎖線で示すように、開閉扉Ｄ１が完全に閉鎖されていないような状態や、或いは図７に示すように、一対の開閉扉Ｄ１、Ｄ２の内一方の開閉扉Ｄ１が先に閉じられた状態で、他方の開閉扉Ｄ２が閉じられる場合は、他方の開閉扉Ｄ２はその折曲片３６が一方の開閉扉Ｄ１の遊端部前面に当接して閉鎖不能となるため、両開閉扉Ｄ１、Ｄ２が閉じた状態に見えても扉閉じスイッチ１８が作動されず両開閉扉Ｄ１、Ｄ２が開いている状態となる。この状態では、リモートコントローラＲの操作により送信される施錠指令が無効とされて電動アクチュエータ９が起動されず確認ランプ６が点滅状態となる。
【００４２】
尚、電子錠５が電気的なトラブル（停電など）で操作が不能となった場合には、シリンダ錠８の手動キーのマニュアル操作により施解錠操作することができる。
【００４３】
上記のように構成された開閉扉の施解錠装置によれば、各上部キャビネット２ｂ、３ｂの両側板にそれぞれ枢着した一対の開閉扉Ｄ１、Ｄ２の一方の開閉扉Ｄ１に前面開口が閉鎖状態であることを検知する単一の扉閉じスイッチ１８を設けることで、コストが抑えられ、かつ配線形態を簡略化することができる。
【００４４】
また、扉閉じスイッチ１８には他方の開閉扉Ｄ２に延びる当接片１８ｂが延設され、この当接片１８ｂが他方の開閉扉Ｄ２の遊端部と当接挟持されることで、前面開口が閉鎖状態であることを検知するようになってるので、確実なスイッチ作動を得ることができる。
【００４５】
更に、扉閉じスイッチ１８が、前面開口部の閉鎖状態を検知しない限り、電動アクチュエータ９を作動しないようになっているので、故障の原因となる電動アクチュエータ９の無駄な作動を抑止して、電動アクチュエータ９の誤操作を防ぐことができる。
【００４６】
そして、電動アクチュエータ９が、リモートコントローラＲで駆動されるようになっているので、上部キャビネット２ｂ、３ｂの前部開口部が閉鎖状態にあるときだけ遠隔位置から施錠することができる。
【００４７】
そしてまた、電動アクチュエータ９は、キャビネット１〜３の外部から施解錠操作できる手動キーと連接して設けられているので、万一電動アクチュエータ９が駆動不能になっても、手動キーで施解錠操作することができる。
【００４８】
【発明の効果】
本発明は以下の効果を奏する。
【００４９】
（ａ）請求項１項の発明によれば、検知スイッチが一つであるから、コストが抑えられ、かつ配線形態を簡略化することができる。
【００５０】
（ｂ）請求項２項の発明によれば、両開き扉が閉じたときだけ当接片が作動するので、確実なスイッチ動作が得られる。
【００５１】
（ｃ）請求項３項の発明によれば、故障の原因となる電動アクチュエータの無駄な作動を抑止して、電動アクチュエータの誤操作を防げる。
【００５２】
（ｄ）請求項４項の発明によれば、キャビネットの前部開口部が閉状態にあるときだけ遠隔位置から施錠できる。
【００５３】
（ｅ）請求項５項の発明によれば、万一電動アクチュエータが駆動不能になっても、手動キーで施解錠操作ができる。
【図面の簡単な説明】
【図１】本発明の一実施形態を示すものであって、各種キャビネットに適用された本発明の施解錠装置をリモコンにより施解錠操作を行うシステム構成図である。
【図２】キャビネット本体の前面開口を開閉する開閉扉の一部断面を示す背面図である。
【図３】図２のＡ−Ａ断面図である。
【図４】（ａ）は取手部近傍に施解錠装置を配置した開閉扉の部分正面図、（ｂ）は（ａ）のＢ―Ｂ断面図である。
【図５】図１に示す扉閉じ検知スイッチ部の拡大図である。
【図６】扉閉じの一態様を示す図５のＣ−Ｃ断面図である。
【図７】扉閉じの別の態様を示す断面図である。
【符号の説明】
１、２、３　　　　　　キャビネット
１ａ、２ａ、３ａ　　　下部キャビネット
１ｂ、２ｂ、３ｂ　　　上部キャビネット
５　　　　　　　　　　電子錠
６　　　　　　　　　　確認ランプ
８　　　　　　　　　　シリンダ錠
８ａ　　　　　　　　　キー差込み部
９　　　　　　　　　　電動アクチュエータ
１０　　　　　　　　　スライド錠
１２　　　　　　　　　操作軸
１２ａ、１２ｂ　　　　係止爪
１３　　　　　　　　　ドッグ
１４　　　　　　　　　ロック片
１５　　　　　　　　　側板
１６ａ、１６ｂ　　　　ヒンジ
１８　　　　　　　　　　扉閉じスイッチ
１８ａ　　　　　　　　アクチュエータ
１８ｂ　　　　　　　　当接片
２０　　　　　　　　　ケーブル
２０’　　　　　　　　信号線
２４　　　　　　　　　支持具
３５　　　　　　　　　折曲げ縁部
３６　　　　　　　　　折曲片
６０　　　　　　　　　受信アンテナ
６２ａ、６２ｂ　　　　制御ユニット
６４　　　　　　　　　コントロールユニット
６５　　　　　　　　　パーソナルコンピュータ
Ｄ１、Ｄ２　　　　　　開閉扉
Ｈ　　　　　　　　　　取手
Ｌ１　　　　　　　　　施錠スイッチ
Ｌ２　　　　　　　　　解錠スイッチ
Ｐ　　　　　　　　　　裏面カバー
Ｒ　　　　　　　　　　リモートコントローラ
【図１】
2004107912.tif 000003
【図２】
2004107912.tif 000004
【図３】
2004107912.tif 000005
【図４】
2004107912.tif 000006
【図５】
2004107912.tif 000007
【図６】
2004107912.tif 000008
【図７】
2004107912.tif 000009